(57)【特許請求の範囲】
【請求項１】
第１装置と第２装置とを備え、前記第２装置から導出された電気ケーブルの先端に設けられたケーブル側コネクタが、前記第１装置の回路基板に設けられた基板側コネクタに接続される構成の電気ケーブル接続装置であって、
前記第１装置の筐体の前記基板側コネクタに対向する箇所に設けられた開口部と、
前記電気ケーブルを外部に導出しながら、前記開口部を閉塞する蓋体とを備え、
前記蓋体は、互いに対向する辺にそれぞれ形成された第１係合部および第２係合部と、前記第１係合部および前記第２係合部が設けられる辺とは異なる一辺に設けられた前記電気ケーブルを導出する導出部とを有しており、
前記開口部の縁部には、前記蓋体の前記第１係合部および前記第２係合部がそれぞれ係合する第１被係合部および第２被係合部が形成されており、
前記第１係合部が前記第１被係合部に係止され、かつ、前記蓋体が前記開口部を閉塞している状態から、前記蓋体を前記第１係合部から前記第２係合部に向かう方向にスライドさせることで、前記第１係合部および前記第２係合部のそれぞれが前記第１被係合部および前記第２被係合部に係止される状態となる構成であることを特徴とする電気ケーブル接続装置。
【請求項２】
請求項１に記載の電気ケーブル接続装置であって、
前記蓋体は、下辺に前記第１係合部を有し、上辺に前記第２係合部を有していることを特徴とする電気ケーブル接続装置。
【請求項３】
請求項１または２に記載の電気ケーブル接続装置であって、
前記蓋体は、前記導出部の近傍に単一の締結部材により前記蓋体を前記第１装置に固定する固定部が設けられていることを特徴とする電気ケーブル接続装置。
【請求項４】
請求項３に記載の電気ケーブル接続装置であって、
前記蓋体は、前記導出部が設けられた前記一辺の近傍に前記固定部を設けていることを特徴とする電気ケーブル接続装置。
【請求項５】
画像形成装置本体と自動原稿送り装置とにより構成された画像形成装置であって、
前記画像形成装置本体と前記自動原稿送り装置との接続に、請求項１から４の何れか一項に記載の電気ケーブル接続装置を用いていることを特徴とする画像形成装置。
【請求項６】
第１装置と第２装置とを備える電気ケーブル接続装置において、前記第２装置から導出された電気ケーブルの先端に設けられたケーブル側コネクタを、前記第１装置の回路基板に設けられた基板側コネクタに接続させる電気ケーブル接続方法であって、
前記電気ケーブル接続装置は、
前記第１装置の筐体の前記基板側コネクタに対向する箇所に設けられた開口部と、
前記電気ケーブルを外部に導出しながら、前記開口部を閉塞する蓋体とを備えており、
前記蓋体は、互いに対向する辺にそれぞれ形成された第１係合部および第２係合部と、前記第１係合部および前記第２係合部が設けられる辺とは異なる一辺に設けられた前記電気ケーブルを導出する導出部とを有しており、
前記開口部の縁部には、前記蓋体の前記第１係合部および前記第２係合部がそれぞれ係合する第１被係合部および第２被係合部が形成されており、
前記第１係合部が前記第１被係合部に係止され、かつ、前記蓋体が前記開口部を閉塞している状態から、前記蓋体を前記第１係合部から前記第２係合部に向かう方向にスライドさせることで、前記第１係合部および前記第２係合部のそれぞれを前記第１被係合部および前記第２被係合部に係止させることを特徴とする電気ケーブル接続方法。
【発明の詳細な説明】
【技術分野】
【０００１】
本発明は、第１装置と第２装置とを備え、第２装置から延設された電気ケーブルの先端に設けられたケーブル側コネクタが、第１装置の回路基板に設けられた基板側コネクタに接続される構成の電気ケーブル接続装置、画像形成装置及び電気ケーブル接続方法に関する。
【背景技術】
【０００２】
従来、画像形成装置は、画像形成部とスキャナ部と用紙搬送部とを備えた画像形成装置本体の上に自動原稿送り装置が搭載されており、自動原稿送り装置から導出された電気ケーブルの先端部に設けられているケーブル側コネクタを、画像形成装置本体に搭載されている回路基板に設けられている基板側コネクタに接続することで、一体に形成されている。
【０００３】
このような構成の画像形成装置では、自動原稿送り装置を画像形成装置本体から取り外す場合、従来は画像形成装置本体の背面板を取り外してから、電気ケーブルのケーブル側コネクタを基板側コネクタから抜くという作業を行っていた。また、画像形成装置本体に自動原稿送り装置を取り付ける場合にも、画像形成装置本体の背面板を取り外してから、原稿読み取り装置の電気ケーブルのケーブル側コネクタを基板側コネクタに接続し、その後、背面板を画像形成装置本体の背面に取り付けるという作業を行っていた。
【０００４】
このような作業は、工場生産時であれば特に問題となることはないが、例えば出荷後に設置現場で自動原稿送り装置を交換等する場合には、背面板を取り外しできるスペースが必要となり、このようなスペースが無い場所では、非常に煩雑な作業となっていた。そのため、自動原稿送り装置の取り付けや取り外しが簡単に行える構造が求められていた。
【０００５】
また、電気ケーブルの接続装置は、想定される外力に対して十分に耐え得るような接続構造とする必要があるため、強度の面でも対応が求められていた。
【０００６】
電気ケーブルの接続装置の一例として、特許文献１に記載の電気ケーブル接続装置が開示されている。
【０００７】
特許文献１に記載の電気ケーブル接続装置では、画像形成装置本体の筐体の、基板側コネクタに対向する箇所に開口部が設けられ、該開口部は蓋体によって閉塞できるようになっている。
【０００８】
蓋体は、左右方向の一方側にフックを有しており、他方側にケーブル挿入部と２箇所のビス止め部とを持つ構造としていた。そして、蓋体を画像形成装置本体の開口部に取り付ける際には、蓋体のフックを開口部の辺縁部に横から係止し、この係止部を支点として蓋体を開口部側に押し込むように閉じ、その後、２箇所のビス止めを行って蓋体を開口部に固定していた。
【先行技術文献】
【特許文献】
【０００９】
【特許文献１】特開２０１３−１０５９３８号公報
【発明の概要】
【発明が解決しようとする課題】
【００１０】
特許文献１の構成では、蓋体を閉じる際に、閉じる寸前まで確実に開口部内部を見ることが困難であるため、ケーブルの線噛みを発生させる可能性があった。尚、ここでいうケーブルの線噛みとは、蓋体の裏面に設けられるリブ等と画像形成装置本体内の構造物や開口部の縁部との間にケーブルが挟みこまれるような状態をさす。このような線噛みが生じているままで蓋体を開口部に取り付けると、ケーブルに過剰な圧力が作用し、ケーブルの断線等に繋がる可能性がある。
【００１１】
また、特許文献１の構成では、蓋体をおさえながら２箇所のビス止めを行う必要があり、作業がやりにくいという課題も残されていた。
【００１２】
本発明は、上記課題に鑑みてなされたものであり、ケーブルの線噛みを発生させにくく、かつ、ケーブル接続作業が容易となる電気ケーブル接続装置を提供することを目的とする。
【課題を解決するための手段】
【００１３】
上記の課題を解決するために、本発明は、第１装置と第２装置とを備え、前記第２装置から導出された電気ケーブルの先端に設けられたケーブル側コネクタが、前記第１装置の回路基板に設けられた基板側コネクタに接続される構成の電気ケーブル接続装置であって、前記第１装置の筐体の前記基板側コネクタに対向する箇所に設けられた開口部と、前記電気ケーブルを外部に導出しながら、前記開口部を閉塞する蓋体とを備え、前記蓋体は、互いに対向する辺にそれぞれ形成された第１係合部および第２係合部を有しており、前記開口部の縁部には、前記蓋体の前記第１係合部および前記第２係合部がそれぞれ係合する第１被係合部および第２被係合部が形成されており、前記第１係合部が前記第１被係合部に係止され、かつ、前記蓋体が前記開口部を閉塞ししている状態から、前記蓋体を前記第１係合部から前記第２係合部に向かう方向にスライドさせることで、前記第１係合部および前記第２係合部のそれぞれが前記第１被係合部および前記第２被係合部に係止される状態となる構成であることを特徴としている。
【００１４】
上記の構成によれば、最初に第１係合部が第１被係合部に係止されている状態で、この係止箇所を支点として蓋体を回動させるように閉じることができる。このため、作業者は開口部が蓋体によって完全に閉じられる直前まで開口部の内部を見ることができる。このため、上記作業中において開口部の内部でケーブルの線噛みが発生した場合には、作業者はそれを容易に発見し、ケーブルの線噛みを解消させることができる。また、上記回動によって蓋体が閉じられた後は、蓋体をスライドさせることで、第１係合部および第２係合部のそれぞれが第１被係合部および第２被係合部に係止されるため、蓋体によって開口部を確実に閉塞することができる。
【００１５】
また、上記電気ケーブル接続装置では、前記蓋体は、下辺に前記第１係合部を有し、上辺に前記第２係合部を有している構成とすることができる。
【００１６】
上記の構成によれば、蓋体を回動させるときの支点が下部となるため、作業者は開口部が蓋体によって完全に閉じられる直前まで開口部の内部を上方から見ることができ、作業の視認性が向上する。
【００１７】
また、上記電気ケーブル接続装置では、前記蓋体は、前記電気ケーブルを導出する導出部を備え、前記導出部の近傍に単一の締結部材により前記蓋体を前記第１装置に固定する固定部が設けられている構成とすることができる。
【００１８】
上記の構成によれば、固定部は、第１係合部および第２係合部の両方が係止された蓋体のスライド移動を防止する機能を有していれば良いので、単一の締結部材のみを使用して固定作業を簡素化することができる。また、固定部を導出部の近傍に配置することで、ケーブルに引張り等の外力が働いた場合に、大きな力が掛かり易い導出部付近の補強ともなる。
【００１９】
また、上記電気ケーブル接続装置では、前記蓋体は、前記第１係合部および前記第２係合部が設けられる辺とは異なる一辺に前記導出部を設け、前記一辺の近傍に前記固定部を設けている構成とすることができる。
【発明の効果】
【００２０】
本発明の電気ケーブル接続装置、電気ケーブル接続方法及び画像形成装置は、作業者が開口部が蓋体によって完全に閉じられる直前まで開口部の内部を見ることができる。このため、上記作業中において開口部の内部でケーブルの線噛みが発生した場合には、作業者はそれを容易に発見し、ケーブルの線噛みを解消させることができるといった効果を奏する。
【００２１】
また、上記回動によって蓋体が閉じられた後は、蓋体をスライドさせることで、第１係合部および第２係合部のそれぞれが第１被係合部および第２被係合部に係止されるため、蓋体によって開口部を確実に閉塞することができるといった効果を奏する。
【図面の簡単な説明】
【００２２】
【図１】本発明の一実施形態を示すものであり、画像形成装置の構成例を示す背面図である。
【図２】電気ケーブル接続装置において使用される蓋体の斜視図であり、（ａ）は表面を示す斜視図、（ｂ）は裏面を示す斜視図である。
【図３】電気ケーブルの先端部が取り付けられた蓋体の裏面図である。
【図４】電気ケーブルの先端部が取り付けられた蓋体の表面図である。
【図５】蓋体に電気ケーブルを取り付ける取付部の構成を示す断面図である。
【図６】画像形成装置において、蓋体を取り外した開口部の内部状態を示す図である。
【図７】蓋体を開口部に取り付けた状態を示す断面図である。
【図８】蓋体を開口部に取り付けた状態を示す断面図である。
【図９】実施の形態２におけるケーブル固定方法を示す図である。
【発明を実施するための形態】
【００２３】
〔実施の形態１〕
以下、本発明の実施の形態について、図面を参照して説明する。
【００２４】
図１は、本発明の一実施形態に係る画像形成装置の構成例を示す背面図である。
【００２５】
本実施形態の画像形成装置１は、外部から伝達された画像データ等に応じて、所定のシート（記録用紙）に対して多色及び単色の画像を形成するもので、少なくともスキャナ部と画像形成部とを備えた画像形成装置本体（以下、単に装置本体という。）２と、自動原稿送り装置３とにより構成されている。すなわち、本実施形態では、画像形成装置本体２が請求項に記載の第１装置に相当し、自動原稿送り装置３が請求項に記載の第２装置に相当している。
【００２６】
自動原稿送り装置３は、装置本体２の上部の原稿載置台の上に自動で原稿を搬送する。また、自動原稿送り装置３は、装置本体２の上部で装置リア側を支点にして上方に回動自在に構成され、原稿載置台の上を開放することにより原稿を手置きし、装置の手前側が開放されるようになっている。
【００２７】
装置本体２は、原稿載置台上に載置された原稿、または自動原稿送り装置３で送られてきた原稿の像をスキャナ部にて読み取り、読み取った画像データを画像形成部にて印字する。画像形成部は、公知の電子写真方式を用いて画像形成を行うものであり、上記画像データに基づいたカラー画像もしくはモノクロ画像を記録用紙に印字して出力する。
【００２８】
上記構成の画像形成装置１において、本実施形態では、装置本体２の筐体背面２ａ側の上部に蓋体４０を取り付ける開口部３０を設け、自動原稿送り装置３の背面側から外部に導出された電気ケーブル５０の先端に設けられたケーブル側コネクタを、この開口部３０を通じて装置本体２内に配置された回路基板の基板側コネクタに着脱自在に接続される構成としている。
【００２９】
以下、この電気ケーブル５０の接続装置について具体的に説明する。図２は電気ケーブル５０の先端部が取り付けられる蓋体４０の斜視図、図３は電気ケーブル５０の先端部が取り付けられた蓋体４０の裏面図、図４は電気ケーブル５０の先端部が取り付けられた蓋体４０の表面図である。
【００３０】
本実施形態の電気ケーブル接続装置では、自動原稿送り装置３の背面側から外部に導出された電気ケーブル５０の先端部が蓋体４０の裏面に取付部４１（図３参照）によって取り付けられている。すなわち、電気ケーブル５０の先端部と蓋体４０とが一体に形成されている。また、電気ケーブル５０の先端には、ケーブル側コネクタ５１ａ，５１ｂとアース端子５１ｃとが設けられている。
【００３１】
蓋体４０は、横長の矩形状に形成されており、下辺の辺縁部には、後述する開口部３０の係止用溝（第１被係合部）３１に係止する下部フック（第１係合部）４２が設けられている。また、蓋体４０の上辺の辺縁部には、後述する開口部３０の係止用溝（第２被係合部）３２に係止する上部フック（第２係合部）４３が設けられている。また、蓋体４０の左右何れかの短辺、すなわち下部フック４２および上部フック４３が設けられる辺とは異なる一辺には、電気ケーブル５０を外部に導出するために凹状に形成された蓋体側導出部（導出部）４４が設けられている。蓋体４０裏面には、１箇所にねじ挿通孔４５ａを有するねじ挿通用ボス４５が立設されている。ねじ挿通用ボス４５は、蓋体側導出部４４の近傍であって、蓋体側導出部４４よりも上辺側に配置されることが好ましい。
【００３２】
取付部４１は、図５に示すように、結束バンド等の樹脂バンド４１ａによって電気ケーブル５０を規定の締付力で結束し、樹脂バンド４１ａの一端部に設けられたねじ挿通孔４１ｂにねじ部材７０を挿通し、蓋体４０の裏面に設けられたねじ受け部４６にねじ込むことによって、電気ケーブル５０を蓋体４０の裏面に取り付けている。
【００３３】
また、蓋体側導出部４４と取付部４１（樹脂バンド４１ａ）との間には、電気ケーブル５０を両側から挟持して配線位置を決める位置決め部としての位置決めリブ４８，４８が対向配置されている。
【００３４】
尚、図２では、蓋体４０の下辺に２つの下部フック４２を間隔をおいて配置し、上辺のほぼ全領域に１つの上部フック４３を設けている。しかしながら、本発明はこれに限定されるものではなく、下部フック４２および上部フック４３の個数や形成領域は特に限定されるものではない。例えば、上辺に２つの上部フックを間隔をおいて配置し、下辺のほぼ全領域に１つの下部フックを設ける構成であってもよい。
【００３５】
また、蓋体４０の同一辺（下辺もしくは上辺）に２つのフックを設ける場合、一方のフックは、蓋体側導出部４４に対し対向している（該フックが設けられる辺に沿った方向において、蓋体側導出部４４と該フックとが同位置に設けられている）構成とすることが好ましい。これにより、蓋体側導出部４４より外部に導出される電気ケーブル５０に引っ張り等の外力が掛かった場合であっても、蓋体側導出部４４と対向配置されるフックによって、蓋体４０が強固に保持される。
【００３６】
また、蓋体４０の表面には、蓋体４０を手で押してスライドさせることを容易にするため、凹凸部４７が下部フック４２の上方に設けられている。凹凸部４７は、蓋体４０のスライド方向と直交する方向において、下部フック４２と同位置に設けられている。
【００３７】
一方、開口部３０は、図６に示すように、横長の矩形状に形成されており、下辺の辺縁部には、蓋体４０の下部フック４２に対応する箇所に下部フック４２を係止する係止用溝３１が設けられている。開口部３０の上辺の辺縁部には、蓋体４０の上部フック４３を係止する係止用溝３２が設けられている。
【００３８】
また、装置本体２の内部には、開口部３０に対向して回路基板６０が配置されており、回路基板６０の基板側コネクタ６１ａ，６１ｂが開口部３０内に露出するように設けられている。
【００３９】
また、開口部３０の内部領域では、装置本体２の内部に配置されている金属フレーム６５に形成されたねじ孔６６が対向配置されている。すなわち、金属フレーム６５に形成されたねじ孔６６は、蓋体４０を開口部３０に取り付けたとき、ねじ挿通用ボス４５のねじ挿通孔４５ａと対峙するように配置されている。
【００４０】
なお、図６中の符号３８は、電気ケーブル５０の先端に設けられたアース端子５１ｃを接続するアースねじである。また、開口部３０の左側の辺縁部の略中央部には、電気ケーブル５０を開口部３０内から外部に導出（または外部から開口部３０内に導入）するための凹状に形成（半すり鉢形状に形成）された開口側導出部３９が形成されている。
【００４１】
次に、上記構成の蓋体４０と開口部３０とを用いたケーブル接続装置におけるケーブル接続手順について説明する。
【００４２】
まず、自動原稿送り装置３から導出された電気ケーブル５０の先端部に蓋体４０を取付部４１にて取り付ける。すなわち、図５に示すように、樹脂バンド４１ａおよびねじ部材７０を用いて電気ケーブル５０を蓋体４０の裏面に取り付け固定する。このとき、図３に示すように、蓋体側導出部４４と樹脂バンド４１ａとの間に位置する電気ケーブル５０は、位置決めリブ４８，４８間に挟み込むようにして、位置決めを行う。すなわち、蓋体４０から外部に導出される電気ケーブル５０が、蓋体側導出部４４を通るように配線する。
【００４３】
次に、この状態で、電気ケーブル５０の先端に設けられたケーブル側コネクタ５１ａ，５１ｂを基板側コネクタ６１ａ，６１ｂに接続する。また、電気ケーブル５０の先端に設けられたアース端子５１ｃをアースねじ３８を用いて金属フレーム６５に接続する。
【００４４】
次に、この状態で、蓋体４０の下部フック４２を開口部３０の係止用溝３１に上から係止し、この係止部を支点として蓋体４０を開口部３０側に押し込むようにして、蓋体４０を開口部３０に添設する。この作業段階において、蓋体４０の上部フック４３は、開口部３０の上辺の辺縁部３０ｂに接触することはない。また、電気ケーブル５０は、略半円弧形状の蓋体側導出部４４と、これに対向する略半円弧形状の開口側導出部３９とで略円弧形状（または横長の楕円形状）に形成された導出部に沿って導出され、無理なく湾曲される。
【００４５】
また、蓋体４０は下部にある係止部を支点として上部側を回動するように開口部３０側に押し込まれるため、作業者は開口部３０が蓋体４０によって完全に閉じられる直前まで開口部３０の内部を上方から見ることができる。このため、上記作業中において開口部３０の内部でケーブルの線噛みが発生した場合には、作業者はそれを容易に発見し、ケーブルの線噛みを解消させることができる。
【００４６】
次に、この状態で、蓋体４０を上方にスライド移動させる。これにより、蓋体４０の上部フック４３が開口部３０の上辺の係止用溝３２により係止される。また、蓋体４０を上方にスライド移動させても、係止用溝３１による蓋体４０の下部フック４２の係止が外れないよう、下部フック４２は上下方向に十分な長さを有している。
【００４７】
蓋体４０を上方にスライドさせ、蓋体４０の下部フック４２および上部フック４３を係止させた状態の断面図を図７及び図８に示す。図７は図４に示すＡ−Ａ断面図であり、図８はＢ−Ｂ断面図である。但し、電気ケーブル５０については図示を省略している。
【００４８】
この状態では、図７に示すように、蓋体４０のねじ挿通用ボス４５の先端が、金属フレーム６５に形成されたねじ孔６６と対峙する。従って、この状態において、蓋体４０の表面側から、ねじ挿通用ボス４５のねじ挿通孔４５ａにねじ部材（締結部材）を挿通し、金属フレーム６５のねじ孔６６にねじ込んで固定することで、蓋体４０を開口部３０に固定する。すなわち、ここでは、ねじ挿通孔４５ａおよびねじ孔６６が特許請求の範囲に記載の固定部となる。このように、ねじ部材によって蓋体４０が開口部３０に固定された後は、蓋体４０のスライド移動が規制されるため、下部フック４２および上部フック４３の係止状態が外れることはない。
【００４９】
なお、電気ケーブル５０の接続を取り外す場合は、上記と逆の手順で開口部３０から蓋体４０を取り外せばよい。
【００５０】
本実施形態の電気ケーブル接続装置によれば、例えば自動原稿送り装置３を装置本体２から取り外す場合、装置本体２の筐体背面２ａに設けられている背面板２ｂ（図１参照）を取り外すことなく、蓋体４０のみを開口部３０から取り外すことで、蓋体４０に取り付けられている電気ケーブル５０のケーブル側コネクタ５１ａ，５１ｂを基板側コネクタ６１ａ，６１ｂから容易に取り外すことができる。
【００５１】
また、電気ケーブル５０は取付部４１である樹脂バンド４１ａによって蓋体４０に取り付けられているので、外部に露出している電気ケーブル５０に何らかの外力が加わったとしても、その外力はまず蓋体４０の取付部４１である樹脂バンド４１ａに加わり、次に下部フック４２および上部フック４３による係止部に加わるので、ケーブル側コネクタ５１ａ，５１ｂと基板側コネクタ６１ａ，６１ｂとの接続部には直接加わることはない。従って、回路基板６０や基板側コネクタ６１ａ，６１ｂが破損する心配はない
また、自動原稿送り装置３を装置本体２に搭載する場合も、電気ケーブル５０に蓋体４０が取り付けられた自動原稿送り装置３を装置本体２に搭載し、この後、蓋体４０付きのケーブル側コネクタ５１ａ，５１ｂを基板側コネクタ６１ａ，６１ｂに接続して、蓋体４０を開口部３０に取り付け固定するだけでよいので、取り付け作業も簡単である。
【００５２】
また、上記接続手順では、蓋体４０を開口部３０に取り付けるだけで、電気ケーブル５０も固定することができる。すなわち、ケーブル側コネクタ５１ａ，５１ｂを基板側コネクタ６１ａ，６１ｂに接続した後、電気ケーブル５０を装置本体２に取り付ける工程を省くことができるため、その分、接続工程を簡略化することができる。
【００５３】
本実施形態では、蓋体４０を開口部３０に取り付け固定する取付部として、下部フック４２および上部フック４３とねじ挿通用ボス４５との組み合わせとしている。そして、下部フック４２および上部フック４３を係止した後、ねじ固定は蓋体４０のスライド移動を規制するのみなので、ねじ挿通用ボス４５は１箇所でよく、開口部３０への蓋体４０の取り付け作業が簡単になる。
【００５４】
〔実施の形態２〕
上記実施の形態１では、電気ケーブル５０を樹脂バンド４１ａによって蓋体４０に取り付け、蓋体４０を開口部３０に取り付け固定することで、電気ケーブル５０も固定される構造となっている。これに対し、本実施の形態２では、これとは異なる方法で電気ケーブル５０の固定を行う方法を示す。本実施の形態２における電気ケーブル５０の固定方法を図９（ａ）〜（ｃ）を参照して説明する。
【００５５】
図９（ａ）に示すように、電気ケーブル５０の端部付近には、２つの樹脂バンド４１ａ・４１ａが近接して取り付けられる。樹脂バンド４１ａ・４１ａとしては、例えば、結束バンド等が規定の締付力で取り付けられる。また、図９（ｂ）に示すように、蓋体４０の蓋体側導出部４４には、リブ４４ａが形成される。
【００５６】
電気ケーブル５０および蓋体４０を画像形成装置本体２に取り付ける際には、図９（ｃ）に示すように、リブ４４ａが２つの樹脂バンド４１ａ・４１ａの間に配置されるようにする。これにより、電気ケーブル５０に固定された樹脂バンド４１ａ・４１ａがリブ４４ａに当接することにより、装置の外側および内側の両方に電気ケーブル５０の移動が規制される。
【００５７】
〔実施の形態３〕
上記実施の形態１，２では、自動原稿送り装置３の背面側から外部に導出された電気ケーブル５０を装置本体２に接続するために、装置本体２に開口部３０および蓋体４０を設ける構成を例示したが、自動原稿送り装置３に開口部３０および蓋体４０を設けてもよい。すなわち、自動原稿送り装置３に電気ケーブル５０を接続するために、本発明の電気ケーブル接続装置を適用しても良い。この場合は、自動原稿送り装置３が請求項に記載の第１装置に相当し、画像形成装置本体２が請求項に記載の第２装置に相当する。
【００５８】
また、上記実施形態１〜３では、本発明を画像形成装置に適用した場合について説明しているが、画像形成装置に限定されるものではなく、第１装置と第２装置とが外部に導出された出力ケーブルによって電気的に接続される構成の全ての装置に適用可能である。
【００５９】
すなわち、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００６０】
１    画像形成装置
２    画像形成装置本体（第１装置）
３    自動原稿送り装置（第２装置）
３０    開口部
３１    係止用溝（第１被係合部）
３２    係止用溝（第２被係合部）
４０    蓋体
４１    取付部
４２    下部フック（第１係合部）
４３    上部フック（第２係合部）
４４    蓋体側導出部（導出部）
４５    ねじ挿通用ボス
４５ａ    ねじ挿通孔（固定部）
５０    電気ケーブル
５１ａ，５１ｂ    ケーブル側コネクタ
５１ｃ    アース端子
６０    回路基板
６１ａ，６１ｂ    基板側コネクタ
６６    ねじ孔（固定部）
【図１】
0006635746.tif 000002
【図２】
0006635746.tif 000003
【図３】
0006635746.tif 000004
【図４】
0006635746.tif 000005
【図５】
0006635746.tif 000006
【図６】
0006635746.tif 000007
【図７】
0006635746.tif 000008
【図８】
0006635746.tif 000009
【図９】
0006635746.tif 000010